(57)【要約】      （修正有）【課題】複数の画像フォーマットのデータが記録された記録媒体内のデータから任意の画像フォーマットの画像データだけを外部装置の記録媒体に記録する場合に、効率的に画像データを記録することができる画像再生装置を提供する。【解決手段】記録側の装置２０の磁気テープに記録する再生データの画像フォーマットの種類を設定するためのユーザ設定スイッチ１０９を設ける。制御部１０７は、磁気テープ１０１の再生動作中に、各画像フォーマットの切り替わりタイミングを検出する。そして、ユーザ設定スイッチ１０９の設定情報と前記タイミング検出の検出情報に応じて、記録側の装置２０に対して、前記再生データの記録開始用又は記録停止用の制御コマンドを発行する。記録側の装置２０では、この制御コマンドに従って磁気テープの記録を開始したり、停止したりする。【選択図】図１
2007174291.tif 000002
【特許請求の範囲】
【請求項１】
複数の画像フォーマットのデータが記録された記録媒体の再生動作を行い再生データを生成する再生手段と、前記再生データを外部装置の記録媒体に記録するための制御手段とを有する画像再生装置において、
前記制御手段は、
前記記録媒体の再生動作中に、各画像フォーマットの切り替わりタイミングを検出するタイミング検出手段と、
前記タイミング検出手段の検出情報に応じて、前記外部装置に対して、前記再生データの記録開始用又は記録停止用の制御コマンドを発行するコマンド発行手段とを備えたことを特徴とする画像再生装置。
【請求項２】
前記外部装置の記録媒体に記録する前記再生データの画像フォーマットの種類を設定するための設定手段をさらに有し、
前記コマンド発行手段は、前記設定手段の設定情報と前記タイミング検出手段の検出情報に応じて、前記外部装置に対して、前記再生データの記録開始用又は記録停止用の制御コマンドを発行することを特徴とする請求項１に記載の画像再生装置。
【請求項３】
前記記録媒体は、テープ媒体であることを特徴とする請求項１又は２に記載の画像再生装置。
【請求項４】
複数の画像フォーマットのデータが記録された記録媒体の再生動作を行い再生データを生成する再生手段を有し、前記再生データを外部装置の記録媒体に記録するための処理を行う画像再生装置の制御方法であって、
前記記録媒体の再生動作中に、各画像フォーマットの切り替わりタイミングを検出するタイミング検出工程と、
前記タイミング検出工程の検出情報に応じて、前記外部装置に対して、前記再生データの記録開始用又は記録停止用の制御コマンドを発行するコマンド発行工程とを有することを特徴とする画像再生装置の制御方法。
【請求項５】
複数の画像フォーマットのデータが記録された記録媒体の再生動作を行い再生データを生成する再生手段を有し、前記再生データを外部装置の記録媒体に記録するための処理を行う画像再生装置の制御方法を実行するための、コンピュータで読み取り可能な制御プログラムであって、
前記記録媒体の再生動作中に、各画像フォーマットの切り替わりタイミングを検出するタイミング検出ステップと、
前記タイミング検出ステップの検出情報に応じて、前記外部装置に対して、前記再生データの記録開始用又は記録停止用の制御コマンドを発行するコマンド発行ステップとを有することを特徴とする制御プログラム。
【発明の詳細な説明】
【技術分野】
【０００１】
本発明は、デジタルビデオカメラ等の画像再生装置及びその制御方法、並びに前記制御方法を実行するための制御プログラムに関する。
【背景技術】
【０００２】
従来より、デジタルビデオカメラは、複数の画像フォーマットのデータを磁気テープ上に記録／再生することができるように定められている。この画像フォーマットとしては、例えば、標準圧縮モードであるＳＤ（Standard Definition）方式によるＤＶ（Digital Video）フォーマットや高圧縮モードであるＳＤＬ（Standard Difinition High Compression）方式によるＤＶフォーマット等が挙げられる。また、上記の同じ磁気テープ上に高品位なＨＤ（High Definition）方式によるＭＰＥＧ（Moving Picture Expert Group）フォーマットの映像を記録する方式も提案されている（特許文献１を参照）。
【０００３】
次に、上記のような、複数の画像フォーマットの混在するストリーム（同期伝送）データが記録された磁気テープを再生してデジタルインターフェースから出力する画像再生装置の構成例について説明する。
【０００４】
図９は、従来の画像再生装置の構成を示すブロック図である。
【０００５】
カセットテープ６０１は、サーボ部６０２で再生動作となり、磁気ヘッド６０８で得られた再生信号は、画像処理部６０３に入力され再生データとなる。画像処理部６０３は、再生データを表示部６０４で表示するためのデータにデコードして表示部６０４に送る。このようにして再生データが表示部６０４に表示される。また、再生データは、例えばＩＥＥＥ１３９４のデジタルインターフェース６０５に入力されて同期伝送データとなり、ケーブル６０６へ送出される。そして、このような動作を実行するために、制御部６０７は、上記各部を制御している。
【０００６】
次に、上記のような構成の画像再生装置６００を用いて、複数の画像フォーマットの混在するストリームデータが記録された磁気テープから任意の画像フォーマットのデータだけを別の磁気テープにダビングする際の動作について、図１０を参照しつつ説明する。
【０００７】
図１０は、従来の画像再生装置のダビング動作を説明するための説明図である。
【０００８】
図中の８０１は、再生側の装置（図９の画像再生装置６００）における磁気テープに記録されているデータの様子を表している。まず変化点８０２で画像フォーマットがＤＶフォーマットからＭＰＥＧフォーマットに切り替わり、次の変化点８０３で画像フォーマットがＭＰＥＧフォーマットからＤＶフォーマットに切り替わる。その後の変化点８０４では画像フォーマットがＤＶフォーマットからＭＰＥＧフォーマットに切り替わる。
【０００９】
ここで、ＭＰＥＧフォーマットのデータだけをダビング記録する場合について説明する。
【００１０】
操作者は、再生側の装置で再生されるデータに応じて、記録側の装置（図９の画像記録装置７００）で記録開始と記録停止の操作を行う。具体的には、再生側の装置において再生データの変化点８０２が到来してＭＰＥＧフォーマットの再生が始まったら、操作者は、記録側の装置において再生データの記録動作をスタートさせる（８０６）。再生側の装置の磁気テープがＤＶフォーマットへの切り替わり部分（変化点８０３）に来たら、記録側の装置において再生データの記録動作を停止させる（８０７）。再生側の装置の磁気テープが再びＭＰＥＧフォーマットへの切り替わり部分（変化点８０４）に来たら、記録側の装置において再生データの記録動作をスタートさせる（８０８）。データの切り替わり部分は、例えば再生側の装置の表示部６０４に表示される情報等で確認する。
【００１１】
このような操作により、ＭＰＥＧフォーマットの再生データだけを集めてダビングされた磁気テープ８０５が作成される。しかし、上記構成によるダビング動作では、操作者の煩雑な操作が必要となるという問題がある。
【００１２】
これに対して、画像フォーマットが混在した磁気テープを再生する画像再生装置の中には、操作者が選択した任意の画像フォーマットのデータだけを出力するように設定可能な機能を備えたものがある。この機能を使うことにより、操作者の記録開始／停止の操作を行わずに、選択した画像フォーマットのデータだけを記録側の装置に記録することもできる。例えば、再生中にＭＰＥＧフォーマットのデータだけをインターフェース６０５から出力するように設定することができる。以下、このように設定された画像再生装置のダビング動作ついて、図１１を参照して説明する。
【００１３】
図１１は、従来の他の画像再生装置のダビング動作を説明するための説明図である。
【００１４】
図中の９０１は、磁気テープ上に記録されている画像データの様子を表しており、また９０６はＩＥＥＥ１３９４ケーブル１０６から出力されるパケットデータのイメージを表している。即ち、９０１と９０６は、磁気テープ中の画像データと送信パケットデータとの関係を示している。
【００１５】
同図の９０１に示すように、磁気テープ上の部位９０２と９０４にはＤＶフォーマットの画像が記録されており、部位９０３と９０５にはＭＰＥＧフォーマットの画像が記録されている。また、同図の９０６に示すように、ＤＶフォーマットの画像データ９０２はデータ無しパケット列として伝送される（９０７）。磁気テープ上の９１１の位置で、記録されているデータがＤＶフォーマットからＭＰＥＧフォーマットに変わると、ケーブル１０６から出力されるパケットデータも、タイミング９１２の時点からＭＰＥＧフォーマットデータのパケット列に変わる。同様に、磁気テープの部位９０４のＤＶフォーマットデータはデータ無しパケット列９０９で伝送され、磁気テープの部位９０５のＭＰＥＧフォーマットデータはパケット列９１０で伝送される。
【００１６】
記録側の装置では、このように伝送されてきたデータをそのまま連続で記録する。図１１中の９１３は、記録された磁気テープの様子を示し、図中の９１４、９１５の部位は画像データが記録されないブランク部分となる。
【特許文献１】特開２００１−２７５０７６号公報
【発明の開示】
【発明が解決しようとする課題】
【００１７】
上述したように、上記従来技術の構成では、画像フォーマットの混在するストリームデータから、任意の画像フォーマットの画像テータだけを記録側の装置の磁気テープに集めて記録する場合に、操作者の煩雑な操作が必要になったり、記録側の装置の磁気テープに無駄なブランクが生ずる、という課題があった。
【００１８】
本発明は上記従来の問題点に鑑み、複数の画像フォーマットのデータが記録された記録媒体内のデータから任意の画像フォーマットの画像テータだけを外部装置の記録媒体に記録する場合に、効率的に画像データを記録することができる画像再生装置及びその制御方法、並びに制御プログラムを提供することを目的とする。
【課題を解決するための手段】
【００１９】
本発明は上記目的を達成するため、複数の画像フォーマットのデータが記録された記録媒体の再生動作を行い再生データを生成する再生手段と、前記再生データを外部装置の記録媒体に記録するための制御手段とを有する画像再生装置において、前記制御手段は、前記記録媒体の再生動作中に、各画像フォーマットの切り替わりタイミングを検出するタイミング検出手段と、前記タイミング検出手段の検出情報に応じて、前記外部装置に対して、前記再生データの記録開始用又は記録停止用の制御コマンドを発行するコマンド発行手段とを備えたことを特徴とする。
【００２０】
また、本発明は、複数の画像フォーマットのデータが記録された記録媒体の再生動作を行い再生データを生成する再生手段を有し、前記再生データを外部装置の記録媒体に記録するための処理を行う画像再生装置の制御方法であって、前記記録媒体の再生動作中に、各画像フォーマットの切り替わりタイミングを検出するタイミング検出工程と、前記タイミング検出工程の検出情報に応じて、前記外部装置に対して、前記再生データの記録開始用又は記録停止用の制御コマンドを発行するコマンド発行工程とを有することを特徴とする。
【００２１】
また、本発明は、複数の画像フォーマットのデータが記録された記録媒体の再生動作を行い再生データを生成する再生手段を有し、前記再生データを外部装置の記録媒体に記録するための処理を行う画像再生装置の制御方法を実行するための、コンピュータで読み取り可能な制御プログラムであって、前記記録媒体の再生動作中に、各画像フォーマットの切り替わりタイミングを検出するタイミング検出ステップと、前記タイミング検出ステップの検出情報に応じて、前記外部装置に対して、前記再生データの記録開始用又は記録停止用の制御コマンドを発行するコマンド発行ステップとを有することを特徴とする。
【発明の効果】
【００２２】
本発明によれば、複数の画像フォーマットのデータが記録された記録媒体内のデータから任意の画像フォーマットの画像テータだけを外部装置の記録媒体に記録する場合に、効率的に画像データを記録することが可能になる。特に、操作者の煩雑な操作を必要とせず、しかも外部装置側の記録媒体に無駄なく連続的に再生データを記録することができる。
【発明を実施するための最良の形態】
【００２３】
以下、本発明の実施の形態について、図面を参照しながら説明する。
【００２４】
＜本実施の形態の構成＞
図１は、本発明の実施の形態に係る画像再生装置の概略構成を示すブロック図である。
【００２５】
この画像再生装置１０は、サーボ部１０２、画像処理部１０３、表示部１０４、ＩＥＥＥ１３９４のデジタルインターフェース１０５、制御部１０７、及びユーザ設定スイッチ１０９を備えている。サーボ部１０２は、カセット磁気記録テープ（以下、単に磁気テープと記す）１０１の走行系と、磁気ヘッド１０８を備えた回転ドラムの回転駆動系から成る。
【００２６】
画像処理部１０３は、磁気ヘッド１０８で得られた再生信号に所定の画像処理を施して再生データや表示データを生成する機能を有し、表示部１０４は、再生データ等を表示する機能を有する。デジタルインターフェース１０５は、ケーブル１０６を介して外部の画像記録装置２０に接続される。ユーザ設定スイッチ１０９は、後述する本実施の形態の特徴的な動作に使用されるスイッチであり、操作者は、このユーザ設定スイッチ１０９により画像記録装置２０に対する記録モードを設定することができる。制御部１０７は、当該画像再生装置１０の各部の動作を制御し、またユーザ設定スイッチ１０９からの設定信号によってデジタルインターフェース１０５から出力する画像フォーマットを設定する機能を有する。さらに、制御部１０７は、本実施の形態に特徴的な動作(後述する図3〜図5の処理)を実行する。
【００２７】
磁気テープ１０１はサーボ部１０２で再生動作となり、磁気ヘッド１０８で得られた再生信号は画像処理部１０３に入力され再生データとなる。この再生データは、画像処理部１０３において表示部１０４で表示するためのデータにデコードされ、表示部１０４へ送られ表示される。また、再生データはデジタルインターフェース１０５に入力され、ここで同期伝送データとなり、ケーブル１０６へ送出される。
【００２８】
図２は、図１中のユーザ設定スイッチ１０９の一例を示す外観図である。
【００２９】
同図に示す例のユーザ設定スイッチ１０９は、３ポジションになっており、スライド片２０１をポイント２０２側にセットすれば、ＤＶフォーマットの画像データをダビングするモード（ＤＶフォーマット記録モード）に設定される。また、ポイント２０３側にセットすればＭＰＥＧフォーマットのデータをダビングするモード（ＭＰＥＧフォーマット記録モード）に設定される。さらに、両ポイント２０２と２０３間のポイント２０４にセットしたときは両方のフォーマットの画像データをダビングするモード（全フォーマット記録モード）に設定される。
【００３０】
＜本実施の形態の動作＞
以下、本実施の形態の動作（Ａ），（Ｂ），（Ｃ）について、図３、図４及び図５等を参照して説明する。
【００３１】
図３、図４及び図５は、本実施の形態に係る画像再生装置の動作を示すフローチャートであり、図３はＭＰＥＧフォーマット記録モード時の動作を示し、図４はＤＶフォーマット記録モード時の動作を示し、図５は全フォーマット記録モード時の動作を示している。
【００３２】
（Ａ）ＭＰＥＧフォーマット記録モード
図６（ａ），（ｂ）は、ＭＰＥＧフォーマット記録モード時の動作を説明するための、磁気テープ１０１のデータ記録状態を示す図である。
【００３３】
同図の３０１は再生する磁気テープ１０１に記録されているデータを表し、磁気テープ１０１の部位３０２、３０４にはＤＶフォーマットの画像データ、部位３０３、３０５にはＭＰＥＧフォーマットの画像データがそれぞれ記録されている。
【００３４】
ユーザ設定スイッチ１０９の設定がＭＰＥＧフォーマット記録モードに設定されていると、図３のステップＳ１１における、ＭＰＥＧフォーマット記録モードの判定処理が肯定（ＹＥＳ）されてステップＳ１２へ進む。ステップＳ１２では、磁気テープ１０１の再生動作を開始する。即ち、記録側の装置（図１の画像記録装置２０）を停止状態にしておき、磁気テープ１０１の部位３１０から再生する。このとき、記録側の装置２０は停止中であるので、該記録側の装置２０の磁気テープ３１１（図６（ｂ）参照）には何も記録されない。
【００３５】
次のステップＳ１３では、制御部１０７は、磁気テープ１０１上のデータ３０１の再生がＤＶフォーマットからＭＰＥＧフォーマットへの切り替わり変化点３０６に達したか否かを判定する。この判定は、例えば磁気テープ１０１上のデータ種別識別エリアの再生情報を参照することにより行われる（後述する）。磁気テープ１０１上のデータ３０１の再生が変化点３０６に達したら、ステップＳ１４へ進む。
【００３６】
ステップＳ１４において、制御部１０７は、記録側の装置２０に向けて記録開始用の制御コマンドを送信する。この制御コマンドは、公知の技術（例えば、文献：ＡＶＣ  Ｔａｐｅ  Ｒｅｃｏｒｄｅｒ／Ｐｌａｙｅｒ  Ｓｕｂｕｎｉｔ  Ｓｐｅｃｉｆｉｃａｔｉｏｎ）を用いる。そして、このとき記録側の装置２０へ送信される画像データは、磁気テープ１０１上の部位３０３のＭＰＥＧフォーマットの再生データであるので、デジタルインターフェース１０５からはＭＰＥＧフォーマットの画像データが出力される（ステップＳ１５）。記録側の装置２０は、記録開始用の制御コマンドを受け取っているので、この送られてきたＭＰＥＧフォーマットの画像データを磁気テープ３１１の部位３１２に記録する（図６（ｂ）参照）。
【００３７】
次に、制御部１０７は、再生側の装置１０の再生動作が停止されたか否かを判定し（ステップＳ１６）、停止されたならば、本ダビング処理を終了し、再生動作が停止されていなければ、前記ステップＳ１３へ戻る。このときは、磁気テープ１０１上のデータ３０１の再生がＤＶフォーマットからＭＰＥＧフォーマットへの切り替わる変化点３０６を既に過ぎているので、ステップＳ１７へ進む。
【００３８】
ステップＳ１７では、制御部１０７は、磁気テープ１０１上のデータ３０１の再生がＭＰＥＧフォーマットからＤＶフォーマットへの切り替わる変化点３０７に達したか否かを判定する。磁気テープ１０１上のデータ３０１の再生が変化点３０７に達したら、ステップＳ１８へ進む。
【００３９】
ステップＳ１８において、制御部１０７は、記録側の装置２０に向けて記録停止用の制御コマンドを送信する。すると記録側の装置２０は、磁気テープ３１１の部位３１３で一旦記録動作を停止する。ＤＶフォーマットの画像データはそのままデジタルインターフェース１０５に送出されているが（ステップＳ１９）、記録側の装置２０はこれを記録しない。
【００４０】
その後、ステップＳ１６の判定処理を経て、継続している再生動作が再びＤＶフォーマットからＭＰＥＧフォーマットへの切り替わり変化点３０８に達したら（ステップＳ１３）、記録側の装置２０に向けて記録開始の制御コマンドを送信する（ステップＳ１４）。記録側の装置２０は、送られてきたＭＰＥＧフォーマットの画像データ（ステップＳ１５）を磁気テープ３１１の部位３１４に記録する（図６（ｂ）参照）。
【００４１】
このようにして、記録側の装置２０には、図６（ｂ）に示すように、画像フォーマットの混在するストリームデータからＭＰＥＧフォーマットの画像データだけを記録側の装置２０の磁気テープ３１１に集めて記録することができる。このとき、磁気テープ３１１には無駄なブランク部分も生じない。
【００４２】
なお、前記ステップＳ１３及びステップＳ１７において判定されるフォーマットの変化点は、上述したように、例えばデータ種別識別エリアの再生情報を参照することで判明する。この点について、図７を参照して説明する。
【００４３】
図７は、磁気テープに記録されるトラックパターンを示す図である。
【００４４】
磁気テープ１０１上のデータの再生動作は、回転ドラムに取り付けられた磁気ヘッド１０８によって、図７中の矢印４０１に示すようにトレースしながら矢印４０２のように横に並んだトラックを再生する。ここで、各トラックにおけるトレース方向の最初の方に前記データ種別識別エリア４０３がある。再生動作時には、まずこのデータ種別識別エリア４０３が先にトレースされ、その後にトラック全体に記録されている情報が読み取られる。
【００４５】
（Ｂ）ＤＶフォーマット記録モード
図８（ａ），（ｂ）は、ＤＶフォーマット記録モード時の動作を説明するための、磁気テープ１０１のデータ記録状態を示す図である。
【００４６】
ユーザ設定スイッチ１０９の設定がＤＶフォーマット記録モードに設定されていると、図３のステップＳ２１における、ＤＶフォーマット記録モードの判定処理が肯定（ＹＥＳ）されて、図４のステップＳ２２へ進む。ステップＳ２２では、前記図３のステップＳ１２と同様に磁気テープ１０１上のデータ３０１の再生動作を開始する。但し、磁気テープ１０１の部位４１０（図８（ａ）参照）から再生する。
【００４７】
その後、ステップＳ２３へ進み、例えば上記データ種別識別エリアの再生情報を参照して、磁気テープ１０１の再生がＭＰＥＧフォーマットからＤＶフォーマットへの切り替わり変化点３１０に達したか否かを判定する。磁気テープ１０１の再生が変化点３１０に達したら、ステップＳ２４へ進む。
【００４８】
ステップＳ２４において、制御部１０７は、前記ステップＳ１４と同様に、記録側の装置２０に向けて記録開始用の制御コマンドを送信する。そして、このとき記録側の装置２０へ送信される画像データは、磁気テープ１０１上の部位３０２のＤＶフォーマットの再生データであるので、デジタルインターフェース１０５からはＤＶフォーマットの画像データが出力される（ステップＳ２５）。記録側の装置２０は、記録開始用の制御コマンドを受け取っているので、この送られてきたＤＶフォーマットの画像データを磁気テープ３１１の部位４１２（図８（ｂ）参照）に記録する。
【００４９】
次のステップＳ２６において、制御部１０７は、前記ステップＳ１６と同様の処理を行い、前記ステップＳ２３へ戻る。このときは、磁気テープ１０１の再生がＭＰＥＧフォーマットからＤＶフォーマットへの切り替わる変化点３１０を既に過ぎているので、ステップＳ２７へ進む。
【００５０】
ステップＳ２７では、制御部１０７は、磁気テープ１０１の再生がＤＶフォーマットからＭＰＥＧフォーマットへの切り替わる変化点３０６に達したか否かを判定する。磁気テープ１０１の再生が変化点３０６に達したら、ステップＳ２８へ進む。
【００５１】
ステップＳ２８において制御部１０７は、前記ステップＳ１７と同様に、記録側の装置２０に向けて記録停止用の制御コマンドを送信する。ＭＰＥＧフォーマットの画像データはそのままデジタルインターフェース１０５に送出されているが（ステップＳ２９）、記録側の装置２０はこれを記録しない。
【００５２】
その後、ステップＳ２６の判定処理を経て、継続している再生動作が再びＭＰＥＧフォーマットからＤＶフォーマットへの切り替わり変化点３０７に達したら（ステップＳ２３）、記録側の装置２０に向けて記録開始の制御コマンドを送信する（ステップＳ２４）。記録側の装置２０は、送られてきたＤＶフォーマットの画像データを磁気テープ３１１の部位４１４に記録する（図８（ｂ）参照）。
【００５３】
このようにして、記録側の装置２０には、図８（ｂ）に示すように、画像フォーマットの混在するストリームデータからＤＶフォーマットの画像データだけを記録側の装置２０の磁気テープ３１１に集めて記録することができる。このとき、磁気テープ３１１には無駄なブランク部分も生じない。
【００５４】
（Ｃ）全フォーマット記録モード
全フォーマット記録モードは、本実施の形態においては画像フォーマットの混在するストリームデータからＭＰＥＧフォーマットとＤＶフォーマットの画像データを記録側の装置２０の磁気テープ３１１に記録するモードである。
【００５５】
この記録モードでは、前述したＭＰＥＧフォーマット記録モード時の動作（図３）において、図３のステップＳ１８の処理に代えて図５のステップＳ３８の処理を実行する点が異なるだけで、その他の処理は同じである。即ち、全フォーマット記録モード時の動作では、ＤＶフォーマットからＭＰＥＧフォーマットへの切り替わり変化点、及びＭＰＥＧフォーマットからＤＶフォーマットへの切り替わり変化点のいずれが検出されても、制御部１０７は、記録開始用の制御コマンドを送信することになる（図５のステップＳ１４、ステップＳ３８）。
【００５６】
これにより、記録側の装置２０には、画像フォーマットの混在するストリームデータの各画像フォーマットの画像データをそのままの順番で記録側の装置２０の磁気テープ３１１にダビングすることができる。
【００５７】
＜本実施の形態の利点＞
上述したように、本実施の形態では、操作者の煩雑な操作を必要とせずに、画像フォーマットの混在するストリームデータから、ＭＰＥＧフォーマット或いはＤＶフォーマットの画像テータだけを記録側の装置２０の磁気テープ３１１に集めて記録することができる。このとき磁気テープ３１１には無駄なブランク部分が生ずることがなく、効率的に画像データをダビングすることができる。
【００５８】
なお、本発明の目的は、前述した各実施の形態の機能を実現するソフトウェアのプログラムコードを記憶した記憶媒体を、システム或いは装置に供給し、そのシステム或いは装置のコンピュータ（又は制御部やＭＰＵ等）が記憶媒体に格納されたプログラムコードを読み出し実行することによっても達成される。
【００５９】
この場合、記憶媒体から読み出されたプログラムコード自体が前述した各実施の形態の機能を実現することになり、そのプログラムコード及び該プログラムコードを記憶した記憶媒体は本発明を構成することになる。
【００６０】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶフォーマットＤ−ＲＯＭ、ＤＶフォーマットＤ−ＲＡＭ、ＤＶフォーマットＤ−ＲＷ、ＤＶフォーマットＤ＋ＲＷ等の光ディスク、磁気テープ、不揮発性のメモリカード、ＲＯＭ等を用いることができる。又は、プログラムコードをネットワークを介してダウンロードしてもよい。
【００６１】
また、コンピュータが読み出したプログラムコードを実行することにより、前述した各実施の形態の機能が実現されるだけではなく、そのプログラムコードの指示に基づき、コンピュータ上で稼動しているＯＳ（オペレーティングシステム）等が実際の処理の一部又は全部を行い、その処理によって前述した各実施の形態の機能が実現される場合も含まれる。
【００６２】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わる制御部等が実際の処理の一部又は全部を行い、その処理によって前述した各実施の形態の機能が実現される場合も含まれる。
【図面の簡単な説明】
【００６３】
【図１】実施の形態に係る画像再生装置の概略構成を示すブロック図である。
【図２】図１中のユーザ設定スイッチの一例を示す外観図である。
【図３】実施の形態に係る画像再生装置の動作を示すフローチャートである。
【図４】実施の形態に係る画像再生装置の動作を示すフローチャートである。
【図５】実施の形態に係る画像再生装置の動作を示すフローチャートである。
【図６】磁気テープのデータ記録状態を示す図である。
【図７】磁気テープに記録されるトラックパターンを示す図である。
【図８】磁気テープのデータ記録状態を示す図である。
【図９】従来の画像再生装置の構成を示すブロック図である。
【図１０】従来の画像再生装置のダビング動作を説明するための説明図である。
【図１１】従来の他の画像再生装置のダビング動作を説明するための説明図である。
【符号の説明】
【００６４】
１０  画像再生装置
２０  画像記録装置
１０１  磁気テープ
１０２  サーボ部
１０３  画像処理部
１０４  表示部
１０５  デジタルインターフェース
１０６  インターフェースケーブル
１０７  制御部
１０８  磁気ヘッド
１０９  ユーザ設定スイッチ
【図１】
2007174291.tif 000003
【図２】
2007174291.tif 000004
【図３】
2007174291.tif 000005
【図４】
2007174291.tif 000006
【図５】
2007174291.tif 000007
【図６】
2007174291.tif 000008
【図７】
2007174291.tif 000009
【図８】
2007174291.tif 000010
【図９】
2007174291.tif 000011
【図１０】
2007174291.tif 000012
【図１１】
2007174291.tif 000013